(57)【要約】【課題】識別媒体への細工を困難にする封印具を提供する。【解決手段】封印具１０は、封印対象物１を収納するために袋状に形成された袋本体２０であって、袋本体は、封印対象物を挿入するための開口部２１であって、封印対象物が挿入され袋本体内の気圧が変更された後、袋本体内の気圧を維持した状態で袋本体を密封可能な開口部を備える、袋本体と、少なくとも封印対象物又は封印具を一意に識別するための識別情報が記録された識別媒体３０と、袋本体の内面に識別媒体を取り付ける取付部材４０であって、取付部材と袋本体の内面とにより形成される空間に、識別媒体が内包されるよう、袋本体の内面に固定され、識別媒体が内包される空間と袋本体の内部とを連通する通気部４１を有する、取付部材とを備える。【選択図】図２
2017095149.tif 000002
【特許請求の範囲】
【請求項１】
封印対象物を封印する封印具において、
前記封印対象物を収納するために袋状に形成された袋本体であって、前記袋本体は、前記封印対象物を挿入するための開口部であって、前記封印対象物が挿入され前記袋本体内の気圧が変更された後、前記袋本体内の気圧を維持した状態で前記袋本体を密封可能な開口部を備える、袋本体と、
少なくとも前記封印対象物又は前記封印具を一意に識別するための識別情報が記録された識別媒体と、
前記袋本体の内面に前記識別媒体を取り付ける取付部材であって、前記取付部材と前記袋本体の内面とにより形成される空間に、前記識別媒体が内包されるよう、前記袋本体の内面に固定され、前記識別媒体が内包される前記空間と前記袋本体の内部とを連通する通気部を有する、取付部材と、
を備えることを特徴とする封印具。
【請求項２】
前記袋本体内の気圧が変更されることは、前記袋本体に気体が充填され前記袋本体が膨張することである、請求項１に記載の封印具。
【請求項３】
前記袋本体内の気圧が変更されることは、前記袋本体から気体が抜かれ、前記袋本体が収縮することである、請求項１に記載の封印具。
【請求項４】
前記識別媒体は、前記識別情報が印刷された印刷媒体であって、前記袋本体は、前記識別媒体に印刷された前記識別情報を外部から視認できるよう、前記識別媒体が取り付けられる位置に透明な窓部を有する、請求項１から３の何れか一項に記載の封印具。
【請求項５】
封印対象物を収納するために袋状に形成される袋本体であって、前記袋本体は前記封印対象物を挿入するための開口部を備える袋本体を備える封印具を用いて、前記封印対象物を封印する封印方法であって、
前記袋本体の前記開口部から前記封印対象物を挿入し、前記封印対象物を前記袋本体に収納する工程と、
少なくとも前記封印対象物又は前記封印具を一意に識別するための識別情報が記録された識別媒体を、取付部材により前記袋本体の内面に取り付ける工程であって、前記取付部材と前記袋本体の内面とにより形成され前記識別媒体を内包する空間と前記袋本体の内部とを連通する通気部が形成されるよう前記取付部材を前記袋本体の内面に固定する、工程と、
前記袋本体内の気圧を変更する工程と、
前記開口部を閉じて前記袋本体を密封する工程と、
を含む、封印方法。
【発明の詳細な説明】
【技術分野】
【０００１】
本発明は、手荷物等の封印対象物を封印する封印具、及び、その封印具を用いた封印方法に関する。
【背景技術】
【０００２】
スポーツ大会やコンサート等の大規模なイベントでは、入場者の手荷物検査（例えば、Ｘ線検査）と装着品検査（例えば、金属探知器による検査）が行われる。大規模イベントにおける多数の入場者に対して、会場入口で手荷物検査と装着品検査の両方を実施すると混雑の原因になる。そのため、それらの検査を円滑に行うために、検査の実施場所を、互いに離れた場所に設ける場合がある。例えば、手荷物検査を駅周辺にて行い、装着品検査を会場入口で行うことで、検査時の混雑を分散させ、検査を円滑に行えるようにする。
【０００３】
このように、検査を互いに離れた場所で離れて行う場合、入場者は手荷物検査が終了した手荷物を携行して、装着品検査の実施場所に移動することとなる。また、この場合、装着品検査の際に、入場者が所持している手荷物が検査済みであるか否か、入場者が手荷物の真の持ち主であるか否か等を検査員が確認する必要があるため、手荷物を識別可能な状態にする必要がある。
【０００４】
従来、手荷物を一意に識別するために、手荷物にバーコードなどの識別媒体を貼付するものがあった。例えば、特許文献１には、透明シート片（封緘材）で袋の開口部を封緘することによって輸送中に開口されなかったことを証明可能にするとともに、封緘材によって伝票を被覆保持させることにより開口することなく内容物を確認可能とする輸送用袋が開示されている。
【先行技術文献】
【特許文献】
【０００５】
【特許文献１】実開昭５９−０３５３５３号公報
【発明の概要】
【発明が解決しようとする課題】
【０００６】
従来の方法では、悪意を持った者が、識別媒体に細工をしたとしても袋に外観上の目立った変化が生じなかった。そのため、悪意を持った者が、周囲に人目のある中でも、検査済みの手荷物に貼りつけられた識別媒体を、危険物の入った手荷物に付け替える等の細工を行うことが可能であった。また、手荷物検査の実施場所と装着品検査の実施場所が離れているため、入場者は検査済みの手荷物を持って装着品検査の実施場所へ移動をすることになる。このため、その間に検査済みの手荷物の中に危険物を入れられることがないように、検査済みの手荷物は封印される必要がある。
【０００７】
そこで、本発明の目的は、識別媒体への細工を困難にする封印具、及びその封印具を用いた封印方法を提供することにある。
【課題を解決するための手段】
【０００８】
かかる課題を解決するための本発明は、封印対象物を封印する封印具において、封印対象物を収納するために袋状に形成された袋本体であって、袋本体は、封印対象物を挿入するための開口部であって、封印対象物が挿入され袋本体内の気圧が変更された後、袋本体内の気圧を維持した状態で袋本体を密封可能な開口部を備える、袋本体と、少なくとも封印対象物又は封印具を一意に識別するための識別情報が記録された識別媒体と、袋本体の内面に識別媒体を取り付ける取付部材であって、取付部材と前記袋本体の内面とにより形成される空間に、識別媒体が内包されるよう、袋本体の内面に固定され、識別媒体が内包される空間と袋本体の内部とを連通する通気部を有する、取付部材と、を備えることを特徴とする封印具を提供する。
【０００９】
また、本発明に係る封印具において、袋本体内の気圧が変更されることは、袋本体に気体が充填され袋本体が膨張することである、ことが好ましい。
【００１０】
また、本発明に係る封印具において、袋本体内の気圧が変更されることは、袋本体から気体が抜かれ、袋本体が収縮することである、ことが好ましい。
【００１１】
また、本発明に係る封印具において、識別媒体は、識別情報が印刷された印刷媒体であって、袋本体は、識別媒体に印刷された識別情報を外部から視認できるよう、識別媒体が取り付けられる位置に透明な窓部を有する、ことが好ましい。
【００１２】
また、かかる課題を解決するための本発明は、封印対象物を収納するために袋状に形成される袋本体であって、袋本体は封印対象物を挿入するための開口部を備える袋本体を備える封印具を用いて、封印対象物を封印する封印方法である。封印方法は、袋本体の開口部から封印対象物を挿入し、封印対象物を袋本体に収納する工程と、少なくとも封印対象物又は封印具を一意に識別するための識別情報が記録された識別媒体を、取付部材により袋本体の内面に取り付ける工程であって、取付部材と袋本体の内面とにより形成され識別媒体を内包する空間と袋本体の内部とを連通する通気部が形成されるよう取付部材を袋本体の内面に固定する、工程と、袋本体内の気圧を変更する工程と、開口部を閉じて袋本体を密封する工程と、を含む。
【発明の効果】
【００１３】
識別媒体に対して細工しようとして識別媒体付近に穴を開けると、通気部から気体が漏れるか流入し、袋の外観に顕著な変化が生じる。そのため、識別媒体への細工を困難にすることができる。
【図面の簡単な説明】
【００１４】
【図１】本発明を適用した一実施形態である封印具の外観を示す概略斜視図であり、（ａ）は封印対象物を入れる前の状態を示し、（ｂ）は封印対象物を入れ封印した後の状態を示す。
【図２】識別媒体の取り付け方法を示す概略斜視図であり、（ａ）は取り付ける前の状態を示し、（ｂ）は取り付けた後の状態を示す。
【図３】封印具の変形例を示す概略斜視図である。
【図４】封印具の変形例を示す概略斜視図である。
【図５】封印具の変形例を示す概略斜視図である。
【発明を実施するための形態】
【００１５】
以下、本発明の一実施形態である封印具について図を参照しつつ説明する。以下の実施の形態において同一又は類似の構成要素には共通の参照符号を付けて示し、理解を容易にするために、これらの図面は縮尺を適宜変更している。また、本発明の技術的範囲はそれらの実施の形態に限定されず、特許請求の範囲に記載された発明とその均等物に及ぶ点に留意されたい。
【００１６】
この封印具は、手荷物等の封印対象物を封印するために、封印対象物を収納する袋本体を備える封印具である。封印具は、識別媒体と、袋本体の内面に識別媒体を取り付ける取付部材を備え、取付部材は袋本体の内部とを連通する通気部を有する。識別媒体に細工をすると、通気部から空気が漏れるか流入して封印具の外観が大きく変化する。そのため、検査員や周囲の人々は、封印具の外観を見ることにより、識別媒体に細工がなされているか否か容易に確認することができる。すなわち、検査員や周囲の人々に気づかれることなく、識別媒体に細工をすることが困難となるため、細工を抑制することができる。
【００１７】
図１（ａ）〜図２（ｂ）を用いて本発明を適用した一実施形態の封印具１０を説明する。図１（ａ）及び図１（ｂ）は、封印具１０の外観を示す斜視図であり、図１（ａ）は封印する前の状態を示し、図１（ｂ）は、手荷物等の封印対象物１を封印した後の状態を示す。また、図２（ａ）及び図２（ｂ）は一実施形態である封印具の識別媒体の取り付け方法を示す概略斜視図であり、図２（ａ）は取り付ける前の状態を示し、図２（ｂ）は取り付けた後の状態を示す。
【００１８】
封印具１０は、封印対象物１を封印するために、封印対象物１を収納可能な大きさで袋状に形成された袋本体２０を備える。また、図１（ａ）に示すように、袋本体２０はその両側部２２が内側に折り畳まれる構造となっている。封印対象物１は、入場者が所有する手荷物、例えば手提げ鞄、ハンドバッグ、又はリュックサック等であり、検査員によるＸ線検査や目視検査等を通過した手荷物である。袋本体２０は、封印対象物１を挿入することが可能な大きさの開口部２１を有する。また、袋本体２０は、ビニル等の気密性を有する素材で作製される。袋本体２０は、その中に封印対象物１を入れた後、気体が注入されることで袋本体２０内の気圧が変更され、図１（ｂ）に示すように袋本体２０が膨張する。袋本体２０内への気体の注入は、袋本体２０の折り畳まれた側部２２が外出し、封印具１０の袋本体２０がピンと張った状態（以下、この状態を膨張した状態という）になるまで行われる。袋本体２０は、膨張した状態でその気密性が維持されるならば、ビニル以外の素材、例えば紙で作製されてもよい。
【００１９】
図２（ａ）に示されるように、袋本体２０は、後述する識別媒体３０が印刷媒体である場合、少なくとも識別媒体に印刷された識別情報を外部から視認できるよう透明な窓部２３が形成される。窓部２３は少なくとも識別情報の印刷領域３１が収まる面積及び形状を有する。なお、袋本体２０の全体が透明であってもよい。窓部２３は、手荷物の所有者や検査員が識別媒体３０を容易に視認できる位置、例えば袋本体２０の側面や底面以外の部分に配置されるのが好ましい。
【００２０】
図１（ａ）及び図１（ｂ）に示されるように、封印具１０は、持ち手５０が設けられてもよい。封印具１０に持ち手５０があることで、入場者は次の検査の実施場所である会場入口まで、手に提げて又は肩に提げて、封印具１０を持ち運びできる。
【００２１】
開口部２１は袋本体２０が膨張した状態で密封可能であり、本実施形態では、袋本体２０に気体が充填された後、開口部２１はヒートシール等によりシールされる。封印具１０は、開口部２１がシールされた後、例えば少なくとも数時間以上膨らんだ状態を維持できる気密性を有する。
【００２２】
開口部２１がシールされると、封印対象物１を取り出すためには、袋本体２０を切断するなどして、開封する必要がある。また、袋本体２０を一旦切断するとその部分から、袋本体２０に充填した気体が放出され、例えば袋本体２０の両側部が元の折り畳まれた状態に戻り、袋本体２０は収縮しその外観が大きく変化する。
【００２３】
本実施形態の封印具１０は、少なくとも、封印対象物１又は封印具１０を一意に識別するための識別情報（識別コードという場合もある）が記録された識別媒体３０を備える。図２（ａ）に示されるように、識別媒体３０は、識別コードが一次元バーコード又は二次元コードとして印刷された紙やプラスチックの板などの印刷媒体である。識別媒体３０が印刷媒体である場合、バーコードリーダーを用いて識別コードを読みとることが可能である。識別コードは、検査員が直接その内容を読みとることができるよう、数字やアルファベット等の記号が紙やプラスチックに印刷されてもよい。なお、識別コードを印刷する印刷領域３１は袋本体２０に設けられた透明な窓部２３に収まる面積又は形状とする。また、識別コードは、封印対象物１の所有者を識別するものでもよい。
【００２４】
図２（ａ）及び図２（ｂ）に示されるように、識別媒体３０は取付部材４０によって、袋本体２０の内面に取り付けられる。取付部材４０は、識別媒体３０を覆うことができる面積及び形状を有するビニル、紙、布などのシート材から作製された部材である。取付部材４０は、例えば袋本体２０の内面と対向する面に、識別媒体３０を囲む部分において通気部４１となる部分以外の領域に接着剤４２が塗布される。
【００２５】
取付部材４０が識別媒体３０を袋本体２０の内面に取り付けたとき、識別媒体３０は、取付部材４０と袋本体２０の内面とにより形成される空間４３に、識別媒体３０が内包されるよう、袋本体２０の内面に固定される。そして、取付部材４０が固定されたときに、空間４３と袋本体２０の内部と連通する通気部４１が形成される。取付部材４０の袋本体２０の内面への固定は、例えば接着剤を取付部材４０に塗布し、袋本体２０の内面に貼り付けることで行われる。接着剤の代わりに粘着剤が塗布されてもよい。また、取付部材４０はヒートシールにより袋本体２０に取り付けられてもよい。
【００２６】
通気部４１を設けることで、封印し膨張した袋本体２０の内面に取り付けられた識別媒体３０に細工をするために袋本体２０の外面から識別媒体３０付近をカッター等で切断すれば、その切断部分と通気部４１を通じて、袋本体２０内の気体が外出する。そのため、封印具１０がしぼみ、目立った変化を伴って封印が解け、検査員や周囲の人々にも開封が明らかとなる。すなわち、封印後の封印具１０に細工をすることが困難となる。取付部材を用いて、密封された袋本体の内側に識別媒体を取り付けることで、袋本体を開封して密封状態を解かなければ、識別媒体を取り出せないようにすることができる。しかし、このように袋本体の内側に識別媒体を取り付ける場合、本発明のような通気部４１を設けないと、識別媒体の付近を袋本体の外側からカッターなどで切断することで、袋本体の密封状体を保ったまま識別媒体だけを取り出されてしまう可能性がある。具体的には、取付部材を袋の内側に固定した際に、取付部材と袋本の内面で空間が形成され、識別媒体は、その空間に内包される。この識別媒体の付近を袋本体の外側から切断すると、取付部材と袋本体の内面で形成されていた空間と袋本体の外側とが連通する。しかし、袋本体の外側と袋本体の内側とは、取付部材によって連通が妨げられるため、袋本体の密封状態を保ったまま識別媒体だけを取り出されてしまう可能性がある。
【００２７】
図２に示す封印具１０では、識別媒体３０の識別情報が窓部２３から見えるよう、識別媒体３０の位置合わせをしてから、取付部材４０により取り付けられる。図２に示す通気部４１は、識別媒体３０の下方に位置するよう設けられているが、通気部４１の位置はこれに限定されず、袋本体２０の内部と連通していれば、取付部材４０の左右端部に形成されてもよい。また、通気部４１は、識別媒体３０を袋本体２０の内面に取り付けられるならば複数個あってもよい。
【００２８】
また、図１（ｂ）に示される封印具１０は、袋本体２０に気体を注入して膨張させていたが、袋本体２０から空気を抜き、袋本体２０を収縮させてしぼんだ状態にしてもよい。この場合、袋本体２０は、封印対象物１に密着し、皺のよった外観となる。袋本体２０がしぼんだ状態であることで、封印が維持されていることが証明される。
【００２９】
また、図３に示されるように、通気部４１は取付部材４０の上方端部に形成されてもよい。この場合、識別媒体の幅Ｗ１よりも、通気部４１の幅Ｗ２を大きくすることで、識別媒体３０を上方から挿入可能なポケットを形成してもよい。取付部材４０によりポケットを形成すれば、取付部材４０を手荷物の検査に先立って、袋本体の内部に位置合わせを済ませておくことが可能となり、或いは、取付部材４０の位置合わせと識別媒体３０の挿入とを分けることができ、検査後の作業を円滑に行うことができる。
【００３０】
図４を用いて、図１（ａ）〜図２（ｂ）に示す封印具１０の変形例である封印具１１について説明する。封印具１１は、識別媒体３０ａとして、識別情報を記憶し、記憶した識別コードを送信するＩＣタグ等の通信媒体を用いる。この場合、識別情報を袋本体２０の外部から視認する必要がないため、封印具１１の袋本体２０には透明な窓部がない。取付部材４０や、開口部２１を密封する手段は、封印具１０と同様であるため、その詳細な説明は省略する。識別媒体３０ａとしてＩＣタグ等の通信媒体を使用すれば、識別媒体３０ａを取り付ける位置が、窓部に制限されることがないので、袋本体２０の内面であれば、何れの場所にも識別媒体３０ａを取り付けることができる。ただし、識別媒体３０ａを取り付ける位置を予め決めておくと、封印後の読み取り作業が容易になり好ましい。
【００３１】
図５を用いて、図１（ａ）〜図２（ｂ）に示す封印具１０の変形例である封印具１２について説明する。封印具１２の取付部材４０ａは、ビニル又は紙などの気密性の比較的高い素材で作られており、図４に示すよう、取付部材４０ａに一つの穴が形成されている。この穴が通気部４１ａとして機能する。そのため、図２（ａ）及び図２（ｂ）に示す封印具１０の取付部材４０のように接着剤を塗布しない部分を設ける必要がない。封印具１２では、識別媒体３０を囲うようその周囲の全体に接着剤４２ａを塗布することができる。袋本体２０、開口部２１を密封する手段、識別媒体３０は、封印具１０と同様であるため、その詳細な説明は省略する。
【００３２】
取付部材４０ａに形成される穴は複数個であってよい。また、取付部材４０ａに形成される穴の位置は、図４に示すように中央部に限らず、識別媒体３０を取り付けたときに取付部材４０ａと袋本体２０の内面とにより形成される空間と、袋本体２０の内部とが連通する位置であればよい。また、取付部材４０ａを、布等の気密性が比較的低い素材で構成する場合、取付部材４０ａに用いられた素材自体の通気穴を潰さぬように接着剤を塗りつけない領域を確保すれば、取付部材４０ａに穴を形成することなく、取付部材４０ａを袋本体２０の内面に固定することで、通気部４１ａを設けることができる。
【００３３】
以下に、封印具１０を用いた封印方法について説明する。封印具１０による識別媒体３０の取り付け及び封印対象物１の封印は、収納工程Ｓ１、識別媒体取付工程Ｓ２、気体充填工程Ｓ３、密封工程Ｓ４の順番で実施される。
【００３４】
収納工程Ｓ１では、検査済みの封印対象物１を開口部２１から挿入し、封印対象物１を袋本体２０内に収納する。
【００３５】
識別媒体取付工程Ｓ２では、取付部材４０により、識別媒体３０を袋本体２０の内側に固定する。この際、取付部材４０と袋本体２０の内面とにより形成され識別媒体３０を内包する空間と袋本体２０の内部とを連通する通気部４１が形成されるよう取付部材４０を袋本体２０の内面に固定する。識別媒体３０が印刷媒体である場合は、印刷された識別情報を袋本体２０の窓部２３に位置合わせし、且つ識別情報を袋本体２０の外側に向けて設置する。図３に示されるように、取付部材４０によりポケットが形成される場合は、取付部材４０を袋本体２０に固定し、その後、取付部材４０と袋本体２０の内面とにより形成される空間に識別媒体３０が内包されるよう、識別媒体３０をポケットに挿入する。
【００３６】
気体充填工程Ｓ３では、封印対象物１を入れた袋本体２０内に気体を充填させ袋本体２０を膨張させる。具体的には、ボンベ等のノズルを開口部２１に挿入して気体を注入し、袋本体２０内に気体を充填して袋本体２０を膨張させる。このとき、袋本体２０の両側部２２を気体の圧力で変形させ、両側部２２を外部から視認できるようにする。なお、注入する気体は、空気又は不活性ガスとすることができる。
【００３７】
密封工程Ｓ４では、気体が充填された封印具１０の開口部２１を密封する。具体的には、開口部２１からノズルを抜くと同時に、袋本体２０が膨張した状態で開口部２１をヒートシールにより密封する。
【００３８】
以上の手順により密封された封印具１０は、手荷物等の封印対象物１を収納した状態で膨張した状態が維持される。封印具１０の袋本体２０が膨張した状態であることが、封印具１０の封印状態が維持されていることを証明する。もし、悪意のある入場者が、識別媒体３０を細工するために、封印具１０を開封すれば、若しくは、識別媒体３０の周囲にカッター等で切り込みを入れれば、封印具１０が収縮し元の状態に戻り、目立った変化を伴って封印が解ける。よって、検査員や周囲の人々にも開封の有無が明らかとなることから、封印後の封印具１０に細工をすることが困難となる。
【００３９】
気体充填工程Ｓ３は、識別媒体３０が取り付けられ封印対象物１を入れた袋本体２０から気体を抜く、気体抜き工程Ｓ３であってもよい。この場合、ボンベ等のノズルを開口部２１に挿入して袋本体２０内の空気を抜き、袋本体２０をしぼんだ状態にする。そして、密封工程Ｓ４では、開口部２１からノズルを抜くと同時に袋本体２０がしぼんだ状態で開口部２１をヒートシールにより密封する。袋本体２０は、封印対象物１に密着し、皺のよった外観となる。袋本体２０がしぼんだ状態であることが、封印が維持されていることを証明する。
【００４０】
識別媒体３０に細工をするために袋本体２０を開封すれば、開口部２１から空気が入り込む。そのため、封印対象物１と袋本体２０との密着が緩んで袋本体２０が皺のとれた状態になるという目立った変化を伴って封印が解ける。また、識別媒体３０に細工をするために識別媒体３０付近をカッター等で切れば通気部４１から空気が入り込む。そのため、封印対象物１と袋本体２０の密着が緩んで袋本体２０が皺のとれた状態になるという目立った変化を伴って封印が解ける。よって、検査員や周囲の人々にも開封の有無が明らかとなるため、封印後の袋本体２０に細工をすることが困難となる。
【００４１】
なお、上記封印方法において識別媒体取付工程Ｓ２を実施してから収納工程Ｓ１を実施してもよい。識別媒体取付工程Ｓ２を実施してから収納工程Ｓ１を実施すれば、手荷物の検査に先立って識別媒体取付工程を実施しておくことができるため（例えば、検査前日に識別媒体を設置した袋を用意しておくことができるため）、検査後の作業を円滑に行うことが可能となる。
【００４２】
以上のように、当業者は、本発明の範囲内で、実施される形態に合わせて様々な変更を行うことができる。
【符号の説明】
【００４３】
１    封印対象物
１０、１１、１２    封印具
２０    袋本体
２１    開口部
２２    側部
２３    窓部
３０、３０ａ    識別媒体
３１    印刷領域
４０、４０ａ    取付部材
４１、４１ａ    通気部
４２、４２ａ    接着剤
４３    空間
５０    持ち手
【図１】
2017095149.tif 000003
【図２】
2017095149.tif 000004
【図３】
2017095149.tif 000005
【図４】
2017095149.tif 000006
【図５】
2017095149.tif 000007